(57)【要約】  【課題】  画像読取装置が原稿を読み取って生成した画像データに基づいて画像形成装置で用紙上に画像を形成するジョブを容易に特定することのできる画像読取装置および画像形成装置並びにジョブ管理方法を提供する。  【解決手段】  縮小画像生成部１６が、画像生成部１１で生成された画像データに基づいて縮小画像データを生成し、ジョブ管理部１７が、ジョブに付与されたジョブ識別情報と、該ジョブに対応する画像データに基づいて前記縮小画像生成手段が生成した縮小画像データとを関連付けて管理する。【選択図】        図２
2007058293.tif 000002
【特許請求の範囲】
【請求項１】
原稿を読み取って画像データを生成する画像生成手段を具備する画像読取装置において、
前記画像生成手段が生成した画像データを印刷ジョブとして画像形成装置へ出力するジョブ生成手段と、
前記画像生成手段が生成した画像データに基づいて縮小画像データを生成する縮小画像生成手段と、
前記ジョブ生成手段が出力したジョブに対して付与されたジョブ識別情報を取得するとともに、前記縮小画像生成手段が生成した縮小画像データを該ジョブ識別情報と関連付けて管理し、ユーザに対しては少なくとも前記縮小画像データに基づく縮小画像を提示して対応するジョブを管理し、前記画像形成装置に対しては前記ジョブ識別情報を利用して対応するジョブを制御するジョブ管理手段と
を具備することを特徴とする画像読取装置。
【請求項２】
前記ジョブ生成手段が生成したジョブに対して任意の名称を付与するジョブ名入力手段をさらに具備し、
前記ジョブ管理手段は、前記ジョブ名入力手段により入力されたジョブ名を、前記縮小画像データおよび前記ジョブ識別情報に関連付けて管理する
ことを特徴とする請求項１記載の画像読取装置。
【請求項３】
前記縮小画像生成手段は、前記画像生成手段が複数ページの画像を含む画像データを生成した場合に、該画像データに含まれる先頭ページの画像を縮小した縮小画像データを生成することを特徴とする請求項１記載の画像読取装置。
【請求項４】
前記縮小画像生成手段は、前記画像生成手段が複数ページの画像を含む画像データを生成した場合に、該画像データに含まれる全てのページの縮小画像を含む縮小画像データを生成することを特徴とする請求項１記載の画像読取装置。
【請求項５】
ジョブとして受け付けた画像データに基づいて用紙上に画像を形成する画像形成装置において、
ジョブを受け付けるジョブ受付手段と、
前記ジョブ受付手段が受け付けたジョブに含まれる画像データに基づいて縮小画像データを生成する縮小画像生成手段と、
前記縮小画像生成手段が生成した縮小画像データを前記ジョブ受付手段が受け付けたジョブに対して付与されたジョブ識別情報と関連付けて管理するジョブ管理手段と
を具備することを特徴とする画像形成装置。
【請求項６】
前記縮小画像生成手段は、前記ジョブ受付手段が受け付けたジョブが、原稿を読み取って画像データを生成する画像読取装置で生成されたジョブである場合に、縮小画像データを生成し、
前記ジョブ管理手段は、前記画像読取装置からジョブの確認要求を受けた際に、前記縮小画像データおよび前記ジョブ識別情報を該画像読取装置へ出力する
ことを特徴とする請求項５記載の画像形成装置。
【請求項７】
前記ジョブ受付手段は、ジョブとともに該ジョブを発行したユーザを識別するユーザ識別情報を受け付け、
前記ジョブ管理手段は、前記ジョブ受付手段が受け付けたユーザ識別情報を、前記縮小画像データおよび前記ジョブ識別情報に関連付けて管理する
ことを特徴とする請求項６記載の画像形成装置。
【請求項８】
前記縮小画像生成手段は、前記ジョブ受け付け手段が複数ページの画像を含む画像データを受け付けた場合に、該画像データに含まれる先頭ページの画像を縮小した縮小画像データを生成することを特徴とする請求項６記載の画像形成装置。
【請求項９】
前記縮小画像生成手段は、前記ジョブ受け付け手段が複数ページの画像を含む画像データを受け付けた場合に、該画像データに含まれる全てのページの縮小画像を含む縮小画像データを生成することを特徴とする請求項６記載の画像形成装置。
【請求項１０】
画像読取装置が原稿を読み取って生成した画像データに基づいて画像形成装置で用紙上に画像を形成するジョブを管理するジョブ管理方法であって、
縮小画像生成手段が、前記画像読取装置で生成された画像データに基づいて縮小画像データを生成し、ジョブ管理手段が、ジョブに付与されたジョブ識別情報と該ジョブに対応する画像データに基づいて前記縮小画像生成手段が生成した縮小画像データとを関連付けて管理することを特徴とするジョブ管理方法。
【請求項１１】
前記縮小画像生成手段および前記ジョブ管理手段は、前記画像読取装置に配設され、前記ジョブ管理手段は、ユーザに対してジョブ情報を提示する際に、少なくとも前記縮小画像データに基づく縮小画像を含むジョブ情報を提示することを特徴とする請求項１０記載のジョブ管理方法。
【請求項１２】
前記ジョブ管理手段は、ジョブ名入力手段により入力されたジョブ名を前記縮小画像データおよび前記ジョブ識別情報に関連付けて管理することを特徴とする請求項１１記載のジョブ管理方法。
【請求項１３】
前記縮小画像生成手段および前記ジョブ管理手段は、前記画像形成装置に配設され、前記ジョブ管理手段は、前記画像読取装置からジョブの確認要求を受けた際に、前記縮小画像データおよび前記ジョブ識別情報を該画像読取装置へ出力することを特徴とする請求項１０記載のジョブ管理方法。
【請求項１４】
前記ジョブ管理手段は、ジョブを発行したユーザを識別するユーザ識別情報を前記縮小画像データおよび前記ジョブ識別情報に関連付けて管理することを特徴とする請求項１３記載のジョブ管理方法。
【請求項１５】
前記縮小画像生成手段は、前記画像生成手段が複数ページの画像を含む画像データを生成した場合に、該画像データに含まれる先頭ページの画像を縮小した縮小画像データを生成することを特徴とする請求項１０記載のジョブ管理方法。
【請求項１６】
前記縮小画像生成手段は、前記画像生成手段が複数ページの画像を含む画像データを生成した場合に、該画像データに含まれる全てのページの縮小画像を含む縮小画像データを生成することを特徴とする請求項１０記載のジョブ管理方法。
【発明の詳細な説明】
【技術分野】
【０００１】
本発明は、画像読取装置および画像形成装置並びにジョブ管理方法に関し、特に、原稿を読み取って得た画像データに基づいて画像形成を実行するジョブを管理することのできる画像読取装置、画像形成装置、また、そのジョブ管理方法に関する。
【背景技術】
【０００２】
近年、スキャナ等の画像読取装置やプリンタ等の画像形成装置が広く普及し、これに伴って、これらの利用方法も多様化する傾向にある。例えば、スキャナで原稿を読み取って得た画像データに基づいてプリンタで印刷を行い、これにより、原稿の複写処理を実現するといった利用方法がある。スキャナで得た画像データに基づいて印刷を行う際には、スキャナからプリンタに画像データを含むジョブを発行することとなる。
【０００３】
ところで、プリンタにおいては、受け付けたジョブの実行完了前に次のジョブを受け付けることが可能なものがある。ジョブの実行中に受け付けられた次のジョブは、当然のことながら直ちに実行することはできないため、実行待ち状態となる。実行待ち状態のジョブは、キャンセルすることができるが、ジョブをキャンセルするためには、キャンセル対象のジョブを特定する必要がある。
【０００４】
ジョブの特定は、一般に、文書名やユーザ名、ジョブの発行日時等を利用して行うことが多いが、この他にも、プリンタ内で一意となるジョブＩＤを利用してジョブのキャンセルを行えるようにした技術（例えば、特許文献１参照）が提案されている。また、ジョブの編集を行うために、ジョブを特定する技術としては、ユーザが一覧の中から選択したジョブの印刷すべきページに対応したサムネイル情報を利用して、サムネイル表示を行う技術もある（例えば、特許文献２参照）。
【特許文献１】特開２００２−１９６９０９号公報
【特許文献２】特開２００１−２８２４７６号公報
【発明の開示】
【発明が解決しようとする課題】
【０００５】
前述のように、プリンタで実行中若しくは実行待ちの状態にあるジョブをキャンセルする場合には、文書名やユーザ名、ジョブの発行日時、ジョブＩＤ等を利用してキャンセル対象のジョブを特定する必要があった。
【０００６】
しかしながら、スキャナ等の画像読取装置で原稿を読み取って得た画像データに基づくジョブは、文書名が自動付与された機械的なものであるなど、ジョブの特定に不向きなことが多く、ジョブＩＤ等を利用したとしても、的確にジョブを特定するには至らないことが多かった。
【０００７】
そこで、本発明は、画像読取装置が原稿を読み取って生成した画像データに基づいて画像形成装置で用紙上に画像を形成するジョブを容易に特定することのできる画像読取装置および画像形成装置並びにジョブ管理方法を提供することを目的とする。
【課題を解決するための手段】
【０００８】
前述した目的を達成するため、請求項１の発明は、原稿を読み取って画像データを生成する画像生成手段を具備する画像読取装置において、前記画像生成手段が生成した画像データを印刷ジョブとして画像形成装置へ出力するジョブ生成手段と、前記画像生成手段が生成した画像データに基づいて縮小画像データを生成する縮小画像生成手段と、前記ジョブ生成手段が出力したジョブに対して付与されたジョブ識別情報を取得するとともに、前記縮小画像生成手段が生成した縮小画像データを該ジョブ識別情報と関連付けて管理し、ユーザに対しては少なくとも前記縮小画像データに基づく縮小画像を提示して対応するジョブを管理し、前記画像形成装置に対しては前記ジョブ識別情報を利用して対応するジョブを制御するジョブ管理手段とを具備することを特徴とする。
【０００９】
また、請求項２の発明は、請求項１の発明において、前記ジョブ生成手段が生成したジョブに対して任意の名称を付与するジョブ名入力手段をさらに具備し、前記ジョブ管理手段は、前記ジョブ名入力手段により入力されたジョブ名を、前記縮小画像データおよび前記ジョブ識別情報に関連付けて管理することを特徴とする。
【００１０】
また、請求項３の発明は、請求項１の発明において、前記縮小画像生成手段は、前記画像生成手段が複数ページの画像を含む画像データを生成した場合に、該画像データに含まれる先頭ページの画像を縮小した縮小画像データを生成することを特徴とする。
【００１１】
また、請求項４の発明は、請求項１の発明において、前記縮小画像生成手段は、前記画像生成手段が複数ページの画像を含む画像データを生成した場合に、該画像データに含まれる全てのページの縮小画像を含む縮小画像データを生成することを特徴とする。
【００１２】
また、請求項５の発明は、ジョブとして受け付けた画像データに基づいて用紙上に画像を形成する画像形成装置において、ジョブを受け付けるジョブ受付手段と、前記ジョブ受付手段が受け付けたジョブに含まれる画像データに基づいて縮小画像データを生成する縮小画像生成手段と、前記縮小画像生成手段が生成した縮小画像データを前記ジョブ受付手段が受け付けたジョブに対して付与されたジョブ識別情報と関連付けて管理するジョブ管理手段とを具備することを特徴とする。
【００１３】
また、請求項６の発明は、請求項５の発明において、前記縮小画像生成手段は、前記ジョブ受付手段が受け付けたジョブが、原稿を読み取って画像データを生成する画像読取装置で生成されたジョブである場合に、縮小画像データを生成し、前記ジョブ管理手段は、前記画像読取装置からジョブの確認要求を受けた際に、前記縮小画像データおよび前記ジョブ識別情報を該画像読取装置へ出力することを特徴とする。
【００１４】
また、請求項７の発明は、請求項５の発明において、前記ジョブ受付手段は、ジョブとともに該ジョブを発行したユーザを識別するユーザ識別情報を受け付け、前記ジョブ管理手段は、前記ジョブ受付手段が受け付けたユーザ識別情報を、前記縮小画像データおよび前記ジョブ識別情報に関連付けて管理することを特徴とする。
【００１５】
また、請求項８の発明は、請求項６の発明において、前記縮小画像生成手段は、前記ジョブ受け付け手段が複数ページの画像を含む画像データを受け付けた場合に、該画像データに含まれる先頭ページの画像を縮小した縮小画像データを生成することを特徴とする。
【００１６】
また、請求項９の発明は、請求項６の発明において、前記縮小画像生成手段は、前記ジョブ受け付け手段が複数ページの画像を含む画像データを受け付けた場合に、該画像データに含まれる全てのページの縮小画像を含む縮小画像データを生成することを特徴とする。
【００１７】
また、請求項１０の発明は、画像読取装置が原稿を読み取って生成した画像データに基づいて画像形成装置で用紙上に画像を形成するジョブを管理するジョブ管理方法であって、縮小画像生成手段が、前記画像読取装置で生成された画像データに基づいて縮小画像データを生成し、ジョブ管理手段が、ジョブに付与されたジョブ識別情報と該ジョブに対応する画像データに基づいて前記縮小画像生成手段が生成した縮小画像データとを関連付けて管理することを特徴とする。
【００１８】
また、請求項１１の発明は、請求項１０の発明において、前記縮小画像生成手段および前記ジョブ管理手段は、前記画像読取装置に配設され、前記ジョブ管理手段は、ユーザに対してジョブ情報を提示する際に、少なくとも前記縮小画像データに基づく縮小画像を含むジョブ情報を提示することを特徴とする。
【００１９】
また、請求項１２の発明は、請求項１１の発明において、前記ジョブ管理手段は、ジョブ名入力手段により入力されたジョブ名を前記縮小画像データおよび前記ジョブ識別情報に関連付けて管理することを特徴とする。
【００２０】
また、請求項１３の発明は、請求項１０の発明において、前記縮小画像生成手段および前記ジョブ管理手段は、前記画像形成装置に配設され、前記ジョブ管理手段は、前記画像読取装置からジョブの確認要求を受けた際に、前記縮小画像データおよび前記ジョブ識別情報を該画像読取装置へ出力することを特徴とする。
【００２１】
また、請求項１４の発明は、請求項１３の発明において、前記ジョブ管理手段は、ジョブを発行したユーザを識別するユーザ識別情報を前記縮小画像データおよび前記ジョブ識別情報に関連付けて管理することを特徴とする。
【００２２】
また、請求項１５の発明は、請求項１０の発明において、前記縮小画像生成手段は、前記画像生成手段が複数ページの画像を含む画像データを生成した場合に、該画像データに含まれる先頭ページの画像を縮小した縮小画像データを生成することを特徴とする。
【００２３】
また、請求項１６の発明は、請求項１０の発明において、前記縮小画像生成手段は、前記画像生成手段が複数ページの画像を含む画像データを生成した場合に、該画像データに含まれる全てのページの縮小画像を含む縮小画像データを生成することを特徴とする。
【発明の効果】
【００２４】
本発明によれば、画像読取装置が原稿を読み取って生成した画像データに基づいて画像形成装置で用紙上に画像を形成するジョブを容易に特定することが可能となる。
【発明を実施するための最良の形態】
【００２５】
以下、本発明に係る画像読取装置および画像形成装置並びにジョブ管理方法の一実施の形態について、添付図面を参照して詳細に説明する。
【実施例１】
【００２６】
図１は、実施例１における画像読取装置と画像形成装置の接続構成例を示した図である。同図に示すように、画像読取装置１は、画像形成装置２と接続される。両者の接続は、通信インタフェイスを介したローカル接続により行ってもよく、ネットワーク接続によって行ってもよい。ネットワーク接続で両者を接続する場合には、他に情報処理装置等の他の装置もネットワークに接続することが可能である。
【００２７】
画像読取装置１は、本発明を適用したものであり、、原稿を読み取って得た画像データを画像形成装置２へ出力する。画像形成装置２は、画像読取装置１から入力された画像データに基づいて、用紙上に画像を形成する。
【００２８】
図２は、画像読取装置１の機能的な構成を示すブロック図である。同図に示すように、画像読取装置１は、画像生成部１１と、画像処理部１２、ジョブ生成部１３、送受信部１４、ＵＩ制御部１５、縮小画像生成部１６、ジョブ管理部１７を具備して構成される。
【００２９】
画像生成部１１は、原稿を光学的に読み取って電気的な信号で表現される画像データを生成する。画像処理部１２は、画像生成部１１が生成した画像データに対して、各種の補正等の画像処理を施す。ジョブ生成部１３は、画像処理部１２で画像処理が施された画像データを印刷データとする印刷ジョブを生成する。送受信部１４は、ジョブ生成部１３が生成したジョブや指示等を画像形成装置２に対して送出するとともに、画像形成装置２からの応答や通知等を受信する。
【００３０】
ＵＩ制御部１５は、図示しないユーザインタフェイスを制御する。縮小画像生成部１６は、画像処理部１２に入力された画像データに基づいて、当該画像データが示す画像の縮小画像を表現する縮小画像データを生成する。ジョブ管理部１７は、送受信部１４が送出したジョブに対して画像形成装置２から通知されるジョブＩＤを取得し、そのジョブＩＤと縮小画像生成部１６が生成した縮小画像データとを関連付けて管理する。
【００３１】
次に、画像読取装置１の動作を、画像形成装置２の動作と併せて説明する。図３は、画像読取装置１と画像形成装置２の動作の流れを示した図である。
【００３２】
画像読取装置１は、図示しないユーザインタフェイスにスキャン実行の指示が入力されると、ＵＩ制御部１５が当該指示を受け付けてスキャン処理を実行し、画像生成部１１が原稿を読み取って画像データを生成する（ステップ５１）。次に、縮小画像生成部１６が当該画像データに基づいて、縮小画像データ（サムネイル）を生成する（ステップ５２）。
【００３３】
一方、ジョブ生成部１３は、画像生成部１１が生成した画像データに基づいてジョブを生成し、生成したジョブを送受信部１４を介して画像形成装置２へ送出する（ステップ５３）。そして、画像形成装置２へ送出したジョブに応じて画像形成装置２がジョブＩＤを返すと、ジョブ管理部１７が当該ジョブＩＤを取得し、縮小画像生成部１６が生成した縮小画像データと取得したジョブＩＤを関連付けて記憶する（ステップ５５）。
【００３４】
その後、図示しないユーザインタフェイスにジョブ確認の指示が入力されると、ＵＩ制御部１５が当該指示を受け付けてジョブ確認処理を実行し、ジョブ管理部１７が送受信部１４を介して画像形成装置２へジョブ一覧取得要求を送出する（ステップ６１）。このジョブ一覧取得要求に応じて、画像形成装置２がジョブ一覧を返すと（ステップ６２）、ジョブ管理部１７がジョブ一覧を取得し、ジョブＩＤに基づいて縮小画像データを利用して、ＵＩ制御部１５を介してジョブ一覧をサムネイルで表示する（ステップ６３）。サムネイルで表示するジョブ一覧は、例えば、図４に示すような表示となる。図４は、ユーザインタフェイスでのジョブ一覧の表示例を示した図である。同図に示すように、画面７０には、ジョブ一覧としてサムネイル７１、７２、７３、７４が表示されている。
【００３５】
この画面７０から、いずかのサムネイル、例えば、サムネイル７１が選択されると、ジョブ管理部１７は、ＵＩ制御部１５を介して当該操作入力を受け取り、サムネイル７１に対応したジョブＩＤを含むジョブキャンセル要求を画像形成装置２へ送出し（ステップ６４）、処理を終了する。
【００３６】
ところで、図示しないユーザインタフェイスに表示するジョブ一覧は、サムネイルに加えて、文書名を表示させるようにしてもよい。文書名を含んだジョブ一覧の表示は、例えば、図５に示す画面８０のように、サムネイル８１の近傍に文書名８２を配置することにより行われる。この文書名８２は、ユーザが図示しないユーザインタフェイスから入力するもので、その入力は、スキャン実行指示の入力前のスキャンパラメータの設定時（図３のステップ５１よりも前）に行われることとなる。
【００３７】
また、前述の説明では、縮小画像生成部１６が生成する縮小画像データは、原稿の先頭ページのサムネイルを表示するためのものであったが、原稿が複数ページである場合には、全てのページのサムネイルを表示する縮小画像データを生成するようにしてもよい。この場合には、図示しないユーザインタフェイスへの表示は、図６に示すサムネイル９１のように、その近傍に、表示するページの切換を指示するページ切換シンボル９２、９３が配置され、ユーザがページ切換シンボル９２等を選択することにより、サムネイル９１に表示するページが切り換えられることになる。
【実施例２】
【００３８】
図７は、実施例２における画像読取装置と画像形成装置の接続構成例を示した図である。同図に示すように、画像読取装置１０１（１０１−１〜１０１−３）は、画像形成装置１０２、情報処理装置１０３とネットワーク１０４を介して接続される。なお、ネットワーク１０４に接続する画像読取装置１０１の数に制限は無く、また、情報処理装置１０３は、必ずしも必要な構成ではない。また、画像読取装置１０１と画像形成装置１０２をネットワーク接続ではなく、ローカル接続とすることも可能である。
【００３９】
画像読取装置１０１は、原稿を読み取って画像データを生成し、生成した画像データを画像形成装置１０２や情報処理装置１０３へ送出する。画像形成装置１０２は、本発明を適用したものであり、画像読取装置１０１や情報処理装置１０３から入力された画像データ等に基づいて、用紙上に画像を形成する。情報処置装置１０３は、画像読取装置１０１から入力された画像データを編集したり、文書の作成や編集、画像形成装置１０２への印刷指示等を行う。
【００４０】
図８は、画像形成装置１０２の機能的な構成を示すブロック図である。同図に示すように、画像形成装置１０２は、送受信部１２１と、ジョブ管理部１２２、画像処理部１２３、画像形成部１２４、縮小画像生成部１２５を具備して構成される。
【００４１】
送受信部１２１は、画像読取装置１０１や情報処理装置１０３等からのジョブを受信するとともに、各種要求に対する応答や通知等を送信する。ジョブ管理部１２２は、送受信部１２１が受信したジョブを受け付け、受け付けたジョブの管理を行う。ジョブの管理に際しては、縮小画像生成部１２５が生成した縮小画像データをジョブと関連付けて管理する。
【００４２】
画像処理部１２３は、ジョブに含まれる画像データの補正や、印刷データの画像データへの展開等の画像処理を行う。画像形成部１２４は、画像処理部１２３で処理された画像データに基づいて、用紙上に画像を形成する。縮小画像生成部１２５は、ジョブ管理部１２２が受け付けたジョブに含まれる画像データに基づいて縮小画像データを生成し、生成した縮小画像データをジョブ管理部１２２へ返す。
【００４３】
次に、画像形成装置１０２の動作を、画像読取装置１０１の動作と併せて説明する。図９は、画像読取装置１０１と画像形成装置１０２の動作の流れを示した図である。なお、ここでは、画像読取装置１０１−１がジョブを発行し、当該ジョブを画像読取装置１０１−２からキャンセルするものとして説明するが、他の画像読取装置１０１からも同様の処理を実行することができ、ジョブの発行とキャンセル指示を同一の画像読取装置１０１から行うようにしてもよい。
【００４４】
画像読取装置１０１−１は、ユーザがスキャン指示を入力しようとすると、スキャン指示の受け付けに先立って、ユーザに対してユーザＩＤ等の認証情報の入力を促し、ユーザ認証を実行する（ステップ１５１）。そして、ユーザ認証に成功すると、画像読取装置１０１−１は、ユーザからスキャン実行の指示を受け付け、スキャン処理を実行する（ステップ１５２）。スキャン処理を実行すると、画像読取装置１０１−１は、スキャン処理により生成した画像データとユーザ認証で入力されたユーザＩＤを含むジョブを生成し、生成したジョブを画像形成装置１０２へ送出する（ステップ１５３）。
【００４５】
一方、画像形成装置１０２は、送受信部１２１が画像読取装置１０１から送出されたジョブを受信すると、当該ジョブをジョブ管理部１２２が受け付け、当該ジョブに含まれる画像データに基づいて縮小画像生成部１２５が縮小画像データ（サムネイル）を生成し、ジョブ管理部１２２が生成された縮小画像データとともにジョブを管理する（ステップ１５４）。
【００４６】
その後、ユーザが画像読取装置１０１−２から先に発行したジョブをキャンセルしようとすると、ユーザが画像読取装置１０１−２は、キャンセル指示の受け付けに先立って、ユーザに対してユーザＩＤ等の認証情報の入力を促し、ユーザ認証を実行する（ステップ１６１）。そして、ユーザ認証に成功すると、画像読取装置１０１−２は、ユーザからキャンセル実行の指示を受け付け、画像形成装置１０２に対してジョブ一覧の取得要求を送出する（ステップ１６２）。このジョブ一覧取得要求は、ユーザ認証で入力されたユーザＩＤが含まれたものである。
【００４７】
一方、画像形成装置１０２は、ジョブ管理部１２２が送受信部１２１を介してジョブ一覧取得要求を受け付けると、当該ジョブ一覧取得要求に含まれるユーザＩＤに基づいて、該当するユーザにより発行されたジョブを特定し、特定したジョブの一覧をジョブに対応付けて管理している縮小画像データとともに、画像読取装置１０１−２へ返す（ステップ１６３）。
【００４８】
ジョブ一覧を受け付けた画像読取装置１０１−２は、図示しないユーザインタフェイスにジョブ一覧を表示するが、このジョブ一覧は、縮小画像データに基づくサムネイルが併せて表示される。画像読取装置１０１−２が表示するジョブ一覧は、実施例１で説明した場合と同様に、図４に示した画面７０のようなものとなる。また、画像形成装置１０２では、実施例１で説明した画像読取装置１と同様に、複数ページのジョブに対して、各ページのサムネイルを表示することのできる縮小画像データを生成するようにしてもよい。
【図面の簡単な説明】
【００４９】
【図１】実施例１における画像読取装置と画像形成装置の接続構成例を示した図である。
【図２】画像読取装置１の機能的な構成を示すブロック図である。
【図３】画像読取装置１と画像形成装置２の動作の流れを示した図である。
【図４】ユーザインタフェイスでのジョブ一覧の表示例を示した図である。
【図５】ユーザインタフェイスでのジョブ一覧の表示例を示した図である。
【図６】ユーザインタフェイスでのジョブ一覧の表示例を示した図である。
【図７】実施例２における画像読取装置と画像形成装置の接続構成例を示した図である。
【図８】画像形成装置１０２の機能的な構成を示すブロック図である。
【図９】画像読取装置１０１と画像形成装置１０２の動作の流れを示した図である。
【符号の説明】
【００５０】
１    画像読取装置
２    画像形成装置
１１    画像生成部
１２    画像処理部
１３    ジョブ生成部
１４    送受信部
１５    ＵＩ制御部
１６    縮小画像生成部
１７    ジョブ管理部
７０    画面
７１    サムネイル
７２    サムネイル
７３    サムネイル
７４    サムネイル
８０    画面
８１    サムネイル
８２    文書名
９１    サムネイル
９２    ページ切換シンボル
９３    ページ切換シンボル
１０１−１〜１０１−３    画像読取装置
１０２    画像形成装置
１０３    情報処理装置
１０４    ネットワーク
１２１    送受信部
１２２    ジョブ管理部
１２３    画像処理部
１２４    画像形成部
１２５    縮小画像生成部
【図１】
2007058293.tif 000003
【図２】
2007058293.tif 000004
【図３】
2007058293.tif 000005
【図４】
2007058293.tif 000006
【図５】
2007058293.tif 000007
【図６】
2007058293.tif 000008
【図７】
2007058293.tif 000009
【図８】
2007058293.tif 000010
【図９】
2007058293.tif 000011